(57)【要約】  【課題】  ＩＳＰのサーバーやネットワークのメンテナンス時に利用者にインターネットが使えないことを知らせることで利用者に混乱を与えないようにする。  【解決手段】  ＩＳＰのサーバーからネットワークメンテナンス前にメンテナンス開始パケットを送出する。ＡＤＳＬモデム３０は、このパケットを受信したらインターネット回線メンテナンス中表示パイロットランプ２０５を点灯し、利用者に注意を喚起する。【選択図】  図３
2005045522.tif 000002
【特許請求の範囲】
【請求項１】
インターネットの接続を提供するインターネットサービスプロバイダ（以後ＩＳＰと略す）や回線接続業者のメンテナンスに関して、メンテナンス開始時にメンテナンス開始パケットを受信し、メンテナンス終了時にメンテナンス完了パケットを受信し、ネットワークがメンテナンス中であることを報知する手段を有するＡＤＳＬモデム。
【請求項２】
インターネット回線が正常動作時には、音声通信をインターネット上に送出できるインターネットパケットに変換して音声通信を行うインターネット電話兼ＡＤＳＬモデムで、メンテナンス開始パケットおよびメンテナンス完了パケットによりメンテナンス中であるときは、インターネット経由で行わず電話回線を利用して通信を行うインターネット電話機能を有した請求項１記載のＡＤＳＬモデム。
【請求項３】
メンテナンス中にインターネット回線を利用するパケットが端末機器側から出力されると、アラーム音又は音声によりインターネット回線メンテナンス中を知らせる請求項１または２記載のＡＤＳＬモデム。
【請求項４】
ＡＤＳＬモデム内にインターネット回線又はサーバーがメンテナンス中で有ることを表示する表示ページを用意し、前記メンテナンス中に端末機器側からインターネットにアクセスした時は、インターネット回線がメンテナンス中であることを前記端末機器に表示する請求項１または２記載のＡＤＳＬモデム。
【発明の詳細な説明】
【技術分野】
【０００１】
本発明は、インターネット利用者にインターネット回線の状況をリアルタイムで知らせると共に、サーバーのメンテナンス等でインターネットが利用できないことを利用者に積極的に知らせるＡＤＳＬモデムである。更に別回線を使って通信できる場合は、積極的にその別回線を選択して、通信を確保しようとする機能を持ったインターネット用ＡＤＳＬモデムである。
【背景技術】
【０００２】
従来の一般的なＡＤＳＬモデム装置は、ＤＳＬ信号を用い、従来電話線路を用いて、高速通信を行うＡＤＳＬモデムがある（特許文献１参照）。
【特許文献１】特開平１１−３０８３５６号公報
【発明の開示】
【発明が解決しようとする課題】
【０００３】
従来よりＡＤＳＬモデムでは、インターネット回線が常時正しく、確保されていることを前提に作られており、ＩＳＰのサーバーメンテナンス時のネットワーク不通状態を想定して作られているわけではない。
【０００４】
現在では、利用者は、ＩＳＰや回線接続業者のメンテナンスをＩＳＰに登録したメールアドレスに送られてくるから、メンテナンス通知によって知るしかない。
【０００５】
今後、インターネットの使われ方が多様化し、メールアドレスを持たずインターネット電話だけのために回線接続、プロバイダと契約する利用者も増えてくると考えられる。
【０００６】
メールアドレスを持たないこういった利用者には、前もってメンテナンスや、回線工事によって発生するネットワークの不通状態を安価かつ速やかに知らせることが出来ないと言う問題点がある。
【課題を解決するための手段】
【０００７】
本発明のＡＤＳＬモデムとＩＳＰ業者、回線接続業者がメンテナンス前にメンテナンス開始を知らせる情報パケットを利用者向けに、送る設備を準備しＡＤＳＬモデム側でそのパケットを受信したら、利用者の利用形態に応じて、
１．モデム全面パネルにパイロット表示する、
２．インターネット電話利用時に自動的にＮＴＴ回線を選択する、
３．従属接続された電話にメンテナンス中を知らせる音声メッセージを流す、
４．接続されたＰＣ又は、その他の情報機器からのアクセスにメンテナンス中を表示する、
のどれか、又は、複数の手段を使う。たとえば、利用者に回線状態を通知しインターネット回線が利用できない事を知らせる（上記１．３．４．）。又は、自動的に、ＮＴＴ回線を選択する（上記２．）ことで、利用者に注意を促すと共に、回避ルートを選択して、回線を確保するものである。
【発明の効果】
【０００８】
以上のように、本発明によれば、ＩＳＰのサーバーメンテナンスや、ネットワーク機器の入れ替え等に伴う一時的な回線不通が発生しても、利用者に速やかにその情報を伝えることができる。また、将来、インターネット電話を目的に、ＡＤＳＬモデムを導入し、ＩＳＰと契約する利用者にも不都合無く快適な電話環境を提供できる。
【発明を実施するための最良の形態】
【０００９】
本発明の請求項１に記載の発明におけるＡＤＳＬモデムは、ＩＳＰがサーバーのメンテナンスや回線工事を行う前にサービスエリア内の利用者にネットワークの不通を知らせる情報を予め、送信しておくことで、たとえば利用者のインターネットモデムのパネル面に準備されたインターネット回線整備中表示ランプを点灯して報知するものである。
【００１０】
本発明の請求項２に記載の発明におけるＡＤＳＬモデムは、通常インターネット回線が正常動作時には、音声通信をインターネット上に送出できるインターネットパケットに変換して音声通信を行うインターネット電話兼ＡＤＳＬモデムで、ＩＳＰや回線接続業者などがメンテナンス開始時に送出するメンテナンス中パケットを受信したら、インターネット経由で行わず、自動的に電話回線を利用して、通信を行うインターネット電話機能を有したＡＤＳＬモデムであり、これにより、電話に不通を解消できるものである。
【００１１】
本発明の請求項３に記載の発明におけるＡＤＳＬモデムは、インターネット回線メンテナンス中にインターネット回線をアクセスするパケットが、端末機器から、出力されると、インターネットの不通を認識し、利用者がインターネット回線にＩＰパケットなどを出力する操作を行ったときに、音声又は、アラーム等でインターネットサーバーのメンテナンス中を利用者に知らせるＡＤＳＬモデムであり、モデムが家具の裏や高所隙間等に設置されても、利用者に状況を知らせることが可能になる。
【００１２】
本発明の請求項４に記載の発明におけるＡＤＳＬモデムは、インターネット回線のメンテナンス中はＡＤＳＬモデム内に用意された、回線又はサーバーがメンテナンス中で有ることを表示するたとえばＨＴＭＬの表示ページを用意し、端末利用者に回線又はサーバーがメンテナンス中を知らせるＡＤＳＬモデムであり、たとえば利用者の使用中の端末機器のブラウザ画面上にメンテナンス中であることを表示して知らせるものである。
【実施例１】
【００１３】
（実施例１）
図１、図２、図３を使って、本発明の実施例について動作を説明する。
【００１４】
図１はＩＳＰのサーバーと利用者の端末がインターネットに接続される概念図、図２はＩＳＰのサーバーのブロック図、図３は、利用者側のモデムのブロック図である。
【００１５】
図１で１０はＩＳＰのサーバー、２０はインターネット網、３０はＡＤＳＬモデム、５０は利用者端末機器である。ここは、サーバーとＡＤＳＬモデムの接続概念を示す。ＩＳＰサーバーとＡＤＳＬモデムの動作については、図２、図３で、詳細に説明する。
【００１６】
図２は、ＩＳＰのサーバー１０のブロック構成図である。
【００１７】
ＩＳＰ１０は、サーバーやネットワーク設備のメンテナンスを行う前にコンソール１０４からメンテナンス開始を設定する。メンテナンスで影響を与える利用者を選択後、メンテナンス開始を設定する。するとメンテナンスパケット送信手段１０１は、メンテナンス開始を伝えるパケットを作成し、ＣＰＵ１０２、ネットワーク接続手段１００を経由して、利用者に配信することになる。
【００１８】
利用者側での動作を図３を使って説明する。ＩＳＰより配信されたメンテナンスパケットは、常時接続されているＡＤＳＬモデムに配信される。すると、メンテナンス中パケット検出手段２０１によりメンテナンスが開始されたことを検出し、ＣＰＵ２０２経由で、表示手段２０５の表示ランプを点灯するものである。これにより利用者は、インターネット回線が使えない状態であることを知る事が出来る。
【００１９】
なお、表示ランプの点灯の他に、ディスプレイ部に「インターネット回線が使えません」と表示してもよい。
【００２０】
（実施例２）
実施例２の動作を図４を使って説明する。
【００２１】
実施例２は、実施例１のＡＤＳＬモデムの利用範囲を広げた一例である。
【００２２】
最近では、インターネットの常時接続であるメリットを活かして、電話の音声をインターネットパケットに変換して、電話機能を実現するインターネット電話用モデムに応用したものである。
【００２３】
通常時は、一般加入回線に接続されたモデムは、ＳＷ１をＡ側、ＳＷ２も同様にＡ側に接続している。通常のデータは通信手段１（図４中の２００）、ＣＰＵ２０２、通信手段２（２０６）へと順にデータ処理され、外部端末機器（例えばパソコン）に渡される。
【００２４】
電話のパケットは、通信手段１（２００）、ＣＰＵ２０２、電話制御手段２０３へと順にデータ処理され、外部電話機に渡される。
【００２５】
電話をかける場合は、逆に  電話機、電話制御手段２０３、ＣＰＵ２０２、通信手段１、一般加入回線、インターネットへと渡される。
【００２６】
ここで、ＩＳＰがメンテナンス等で、インターネット回線が使えない場合は、実施例１と同様にＩＳＰから、メンテナンス中パケットが配信される。この信号を受信すると、メンテナンスパケット検出手段２０１によりメンテナンス中を検出し表示手段２０５の表示ランプを点灯するとともに、リレー制御手段を駆動して、ＳＷ１とＳＷ２をＡ側からＢ側に切り替える。これにより、一般加入回線は、外部電話器に直結され、ＮＴＴ電話回線、ＮＴＴ交換機経由で電話をすることができるものである。
【００２７】
なお、表示手段２０５の表示ランプの点灯の他に、ディスプレイ部に「インターネット回線が使えません」と表示してもよい。
【００２８】
（実施例３）
実施例３の動作を図５を使って説明する。
【００２９】
実施例３は、実施例１の機能強化を図ったもので、ＩＳＰがメンテナンス等で、インターネット回線が使えない場合は、実施例１と同様にＩＳＰから、メンテナンス中パケットが配信される。この信号を受信すると、メンテナンスパケット検出手段２０１によりメンテナンス中を検出し表示手段２０５の表示ランプを点灯するとともに、アラーム音発生手段２０７を使って、利用者に音声案内や報知音でインターネットの通信不可を伝えるものである。
【００３０】
一般的にＡＤＳＬモデムは、常時全面パネルが見える場所に置かれるとは限らず、家具の裏や、高所挟所に置かれるケースが少なくない。この時、音声又はアラーム音で、利用者にインターネット利用不可を報知することが出来るものである。
【００３１】
図５では、アラーム音発生手段に直接スピーカーが接続されている一例を示しているが、音は、電話器のように外部に音を聞くことが出来る手段がある場合は、そちらに出力しても良い。アラームの報知は、外部端末機器、もしくは電話機が、インターネットにパケットを出力使用としたタイミングで、発する様にしておくのが良いのは言うまでもない。
【００３２】
（実施例４）
実施例４の動作を図６を使って説明する。
【００３３】
実施例４は、実施例１の機能強化を図ったもので、ＩＳＰがメンテナンス等で、インターネット回線が使えない場合は、実施例１と同様にＩＳＰから、メンテナンス中パケットが配信される。
【００３４】
この信号を受信すると、メンテナンスパケット検出手段２０１によりメンテナンス中を検出し表示手段２０５の表示ランプを点灯するとともに、アラーム画面表示手段２０８が利用者の端末機器のブラウザ画面に「現在インターネット回線をメンテナンス中です、しばらくして、再度アクセス願います」等のメッセージを表示する。
【００３５】
このようにインターネット回線のメンテナンス中はＡＤＳＬモデム内に用意された、回線又はサーバーがメンテナンス中で有ることを表示するたとえばＨＴＭＬの表示ページをアラーム画面表示手段２０８に用意し、端末利用者に回線又はサーバーがメンテナンス中は利用者の使用中の端末機器のブラウザ画面上にメンテナンス中であることを表示して知らせるものである。
【００３６】
また、「現在インターネット回線をメンテナンス中です、しばらくして、再度アクセス願います」の代わりに「電話回線モデムを用いてインターネットに接続してもいいですか」と表示して接続手段を選択できるようにしてもよい。
【図面の簡単な説明】
【００３７】
【図１】実施例１におけるＩＳＰサーバーとＡＤＳＬモデムの接続概念図
【図２】実施例１〜４におけるＩＳＰサーバーのブロック構成図
【図３】実施例１におけるＡＤＳＬモデムのブロック構成図
【図４】実施例２におけるＡＤＳＬモデムのブロック構成図
【図５】実施例３におけるＡＤＳＬモデムのブロック構成図
【図６】実施例４におけるＡＤＳＬモデムのブロック構成図
【符号の説明】
【００３８】
１０  ＩＳＰｏｒ回線接続者サーバー
２０  インターネット網
３０  ＡＤＳＬモデム
５０  利用端末機器
１００  ネットワーク接続手段
１０１  メンテナンスパケット送出手段
１０２  ＣＰＵ
１０４  コンソール
２００  通信手段１
２０１  メンテナンス中パケット検出手段
２０２  ＣＰＵ
２０３  電話制御手段
２０４  通信手段２
２０５  表示手段
２０６  リレー制御手段
２０７  アラーム音発生手段
２０８  アラーム画面表示手段
【図１】
2005045522.tif 000003
【図２】
2005045522.tif 000004
【図３】
2005045522.tif 000005
【図４】
2005045522.tif 000006
【図５】
2005045522.tif 000007
【図６】
2005045522.tif 000008